【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
第１通信チャネルを有するインタフェースと、
前記インタフェースと連結され、そのインタフェースの前記第１通信チャネルを介して１つ以上のデータストリームを送信する送信機と、
１つ以上の送信用データストリームを受信する処理要素と、
暗号化モジュールと、を備え、
前記処理要素は、第１種別のデータの送信用に第１データストリームと第２データストリームとを含む、前記第１種別のデータの送信用のデータストリームを複数受信すると、前記第１データストリームを識別するための第１プリアンブル、及び第２データストリームを識別するための第２プリアンブルを選択し、
第１プリアンブルは、第２プリアンブルと区別可能であり、
前記第１プリアンブルと前記第２プリアンブルの選択は、マルチプレクサに対する複数のプリアンブルの入力から選ぶこと、又はルックアップテーブルにおける複数のプリアンブルから選ぶことによって行われ、
前記第１プリアンブルを前記第１データストリームの前に挿入し、
前記第２プリアンブルを前記第２データストリームの前に挿入し、
前記第１通信チャネルを介した送信のために、前記第１データストリームと前記第２データストリームをマージし、
前記第１データストリームと前記第２データストリームをマージすることは、前記第１データストリームの未使用の領域に前記第２データストリームを挿入することを含み、
前記暗号化モジュールは、前記第１データストリームを暗号化し、前記第１プリアンブル又は前記第２プリアンブルを暗号化しない装置。
【請求項２】
前記第１プリアンブル及び前記第２プリアンブルの選択には、各データストリーム用のプリアンブルであり、前記第１データストリーム及び前記第２データストリームによって伝達されるデータを識別するためのプリアンブルの選択が含まれる請求項１に記載の装置。
【請求項３】
当該装置は、前記第１種別の単一のデータストリームの送信に際して、前記第１プリアンブルを利用する請求項２に記載の装置。
【請求項４】
前記暗号化モジュールは、前記第２データストリームを暗号化しない、請求項１に記載の装置。
【請求項５】
前記暗号化モジュールは、HDCP (High-bandwidth Digital Content Protection) と互換性がある要素である請求項１に記載の装置。
【請求項６】
前記第１通信チャネルは、HDMI (登録商標) (High Definition Multimedia Interface) 又は MHL (登録商標) (Mobile High-definition Link）と互換性がある請求項１に記載の装置。
【請求項７】
前記第１種別のデータは、動画コンテンツデータ及び音声コンテンツデータのいずれかであることを特徴とする請求項１に記載の装置。
【請求項８】
前記第１種別のデータは動画データであり、
前記第１データストリームはプライマリデータストリームであり、
前記第２データストリームはセカンダリデータストリームである請求項７に記載の装置。
【請求項９】
当該装置はモバイルデバイスである請求項１に記載の装置。
【請求項１０】
前記第１データストリームは前記第２データストリームよりも大きい請求項１に記載の装置。
【請求項１１】
前記処理要素は、受信データから前記第２データストリームを生成する請求項１に記載の装置。
【請求項１２】
前記第２データストリームを生成する処理は、前記受信データに、前記第２データストリームを前記第１データストリームに挿入することが可能である低さのサンプリングレートを適用することを含む請求項１１に記載の装置。
【請求項１３】
第１通信チャネルを有するインタフェースと、
前記インタフェースに連結され、そのインタフェースの前記第１通信チャネルを介して第１種別の複数のデータストリームを受信する受信機と、
復号モジュールと、を備え、
前記第１種別の複数のデータストリームそれぞれは、そのデータストリームに先行する互いに異なるプリアンブルを有し、
前記データストリームに先行する前記プリアンブルは、そのデータストリームを識別し、そのデータストリームを複数の前記データストリームの中の他のデータストリームと区別し、
複数の前記データストリームは、第１プリアンブルを有する第１データストリーム及び第２プリアンブルを有する第２データストリームを含み、
前記第１プリアンブルと前記第２プリアンブルは、送信機のマルチプレクサに対する複数のプリアンブルの入力から選ばれるか、又は前記送信機のルックアップテーブルにおける複数のプリアンブルから選ばれ、
第１及び第２データストリームは第１種別のデータを伝送し、
前記第１データストリームと前記第２データストリームは、マージされており、
前記第１データストリームと前記第２データストリームをマージすることは、前記第１データストリームの未使用の領域に前記第２データストリームを挿入することを含み、
前記第１データストリームを含む前記第１種別の１つ以上の前記データストリームは暗号化され、その暗号化において複数の前記データストリームの前記プリアンブルは暗号化されず、
前記復号モジュールは１つ以上の暗号化された前記データストリームを復号し、
前記受信機は、
前記第１プリアンブル及び前記第２プリアンブルの検出に基づき、前記第１種別の複数のデータストリームの有無を判定し、
各データストリームの前記プリアンブルに応じて複数の前記データストリームの各々を取扱い、
前記第１データストリームは前記第１プリアンブルに基づいて第１の方法で取扱われ、
前記第２データストリームは前記第２プリアンブルに基づいて第２の方法で取扱われ、
前記第１プリアンブルに基づいて前記第１データストリームを取扱うことは、前記復号モジュールを用いて前記第１データストリームを復号することを含む装置。
【請求項１４】
前記復号モジュールは、HDCP (High-bandwidth Digital Content Protection) と互換性がある要素である請求項１３に記載の装置。
【請求項１５】
前記第１通信チャネルは、HDMI (登録商標) (High Definition Multimedia Interface) 又は MHL (登録商標) (Mobile High-definition Link) と互換性がある請求項１３に記載の装置。
【請求項１６】
前記第２データストリームは暗号化されず、
前記第２プリアンブルに基づいて前記第２データストリームを取扱うことは、復号処理を伴わずに前記第２データストリームを取扱うことを含む請求項１３に記載の装置。
【請求項１７】
前記第１データストリームは前記第２データストリームよりも大きい請求項１３に記載の装置。
【請求項１８】
第１通信チャネルを有するインタフェースと、
前記インタフェースに連結され、前記インタフェースの前記第１通信チャネルを介して、第１種別の複数のデータストリームを受信する受信機と、
復号モジュールと、を備え、
複数の前記データストリームそれぞれは、そのデータストリームに先行する互いに異なるプリアンブルを有し、
前記データストリームに先行する前記プリアンブルは、そのデータストリームを識別し、そのデータストリームを複数の前記データストリームの中の他のデータストリームと区別し、
複数の前記データストリームは、第１プリアンブルを有する第１データストリーム及び第２プリアンブルを有する第２データストリームを含み、
前記第１プリアンブルと前記第２プリアンブルは、送信機のマルチプレクサに対する複数のプリアンブルの入力から選ばれるか、又は前記送信機のルックアップテーブルにおける複数のプリアンブルから選ばれ、
第１データストリーム及び第２データストリームは第１種別のデータを伝送し、
前記第１データストリームと前記第２データストリームはマージされ、
前記第１データストリームと前記第２データストリームをマージする処理は、前記第１データストリームの未使用の領域に前記第２データストリームを挿入する処理を含み、
前記第１データストリームを含む前記第１種別の１つ以上の前記データストリームは暗号化され、その暗号化において複数の前記データストリームの前記プリアンブルは暗号化されず、
前記復号モジュールは１つ以上の暗号化された前記データストリームを復号し、
前記受信機は、
前記第１プリアンブル及び第２プリアンブルの検出に基づき、前記第１種別の複数のデータストリームの有無を判定し、
各データストリームの前記プリアンブルに応じて複数の前記データストリームの各々を取扱い、
前記第１データストリームは前記第１プリアンブルに基づいて第１要素に宛てられ、
前記第２データストリームは前記第２プリアンブルに基づいて第２要素に宛てられ、
前記第１プリアンブルに基づいて前記第１データストリームを取扱うことは、前記復号モジュールを用いて前記第１データストリームを復号することを含むシステム。
【請求項１９】
前記受信機は、１つ以上のポートを介してデータを受信するポートプロセッサの一部であり、１つ以上の前記ポートは前記インタフェースに対する第１ポートを含む請求項１８に記載のシステム。
【請求項２０】
前記第１要素は、前記第１データストリームを表示するテレビディスプレイである請求項１８に記載のシステム。
【請求項２１】
前記第１要素は、当該システムの一部であり、前記第２要素は当該システムの外部にある請求項１８に記載のシステム。
【請求項２２】
前記第２要素は、第２受信機を含む第２システムである請求項２１に記載のシステム。
【請求項２３】
方法であって、
単一の相互接続の第１通信チャネルを介して送信される複数のデータストリームを取得するステップを備え、
複数の前記データストリームは第１データストリーム及び第２データストリームを含み、
前記第１データストリーム及び前記第２データストリームは各々第１種別のデータを含み、
前記第１データストリームを識別するための第１プリアンブル及び前記第２データストリームを識別するための第２プリアンブルを選択するステップを備え、
前記第１プリアンブルと前記第２プリアンブルの選択は、マルチプレクサに対する複数のプリアンブルの入力から選ぶこと、又はルックアップテーブルにおける複数のプリアンブルから選ぶことによって行われ、
前記第１プリアンブル及び前記第２プリアンブルは各々、所定数のクロック期間を有し、
前記第１プリアンブル及び前記第２プリアンブルは、送信用の前記第１種別のデータストリームから前記第１データストリーム及び前記第２データストリームをユニークに識別し、
前記第１プリアンブルと前記第２プリアンブルは区別可能であり、
前記第１プリアンブルを前記第１データストリームの前に挿入し、前記第２プリアンブルを前記第２データストリームの前に挿入するステップを備え、
前記第１データストリームと前記第２データストリームをマージするステップを備え、前記第１データストリームと前記第２データストリームをマージすることは、前記第１データストリームの未使用の領域に前記第２データストリームを挿入することを含み、
前記単一の相互接続の前記第１通信チャネルを介して、前記第１種別のデータを識別する要素と、前記第１プリアンブルが先行する第１データストリームと、前記第２プリアンブルが先行する前記第２データストリームと、を送信するステップを備え、前記第１データストリームは送信のために暗号化され、前記第１プリアンブル及び前記第２プリアンブルは暗号化されない方法。
【請求項２４】
前記第１プリアンブル及び前記第２プリアンブルは各々、エラー補正機構のための１つ以上のシンボルを含む請求項２３に記載の方法。
【請求項２５】
受信データから前記第２データストリームを生成するステップを備える請求項２３に記載の方法。
【請求項２６】
前記第２データストリームを生成するステップは、前記受信データに、前記第２データストリームを前記第１データストリームに挿入することが可能である低さのサンプリングレートを適用することを含む請求項２５に記載の方法。
【請求項２７】
方法であって、
単一の相互接続の第１通信チャネルを介して受信機で複数のデータストリームを受信するステップを備え、
複数の前記データストリームは、第１データストリームの未使用の領域に第２データストリームを挿入することによってマージされた前記第１データストリーム及び前記第２データストリームを含み、
複数の前記データストリームは、第１種別のデータを識別する指定を含み、
前記第１種別の複数のデータストリームの各々は所定数のクロック期間を有したプリアンブルによって先行され、
前記プリアンブルは、前記第１種別の異なるデータストリームの各々を識別するためのもの、かつ各前記データストリームを複数の前記データストリームの中の他のデータストリームと区別するためのものであり、
前記第１種別のデータストリームの各々に対するプリアンブルは、前記第１種別の複数のデータストリームの間においてユニークであり、
前記第１データストリームは第１プリアンブルを有し、
前記第２データストリームは第２プリアンブルを有し、
前記第１プリアンブルと前記第２プリアンブルは、送信機のマルチプレクサに対する複数のプリアンブルの入力から選ばれるか、又は前記送信機のルックアップテーブルにおける複数のプリアンブルから選ばれ、
前記第１データストリームは暗号化され、複数の前記データストリームの前記プリアンブルは暗号化されず、
前記第１種別のデータストリームに対する複数のプリアンブルの受信を検出することにより、前記第１種別の複数のデータストリームの存在を判定するステップを備え、
前記データストリームに対するプリアンブルに応じて前記第１種別のデータストリームの各々を取扱うステップを備え、前記第１プリアンブルに基づいて前記第１データストリームを取扱うことは、前記第１データストリームを復号することを含む方法。
【請求項２８】
前記データストリームに対するプリアンブルに応じて、前記第１種別のデータストリームの各々を取扱うステップに先立ち、マージされている前記第１種別のデータストリームを分離するステップをさらに備える請求項２７に記載の方法。
【請求項２９】
前記第１種別のデータストリームの各々を取扱うステップは、前記第１種別の第２データストリームを復号せずに取扱うことを含む請求項２７に記載の方法。
【請求項３０】
前記第１種別のデータストリームの各々を取扱うステップには、第１データストリームを第１要素に宛て、第２データストリームを第２要素に宛てるステップが含まれる請求項２７に記載の方法。
【請求項３１】
前記第１要素は受信機を含む第１の装置又は第１のシステムの一部であり、前記第２要素は前記第１の装置又は第１のシステムの外部にある請求項３０に記載の方法。
【請求項３２】
命令列を表すデータを記憶したコンピュータ可読媒体であって、前記命令列がプロセッサによって実行されるとそのプロセッサは動作を行い、その動作は、
単一の相互接続の第１通信チャネルを介して送信される複数のデータストリームを取得するステップを備え、複数の前記データストリームは第１データストリーム及び第２データストリームを含み、前記第１データストリーム及び前記第２データストリームは各々第１種別のデータを含み、
前記第１データストリームを識別するための第１プリアンブル及び前記第２データストリームを識別するための第２プリアンブルを選択するステップを備え、
前記第１プリアンブルと前記第２プリアンブルの選択は、マルチプレクサに対する複数のプリアンブルの入力から選ぶこと、又はルックアップテーブルにおける複数のプリアンブルから選ぶことによって行われ、
前記第１プリアンブル及び前記第２プリアンブルは各々、所定数のクロック期間を有し、
前記第１プリアンブル及び第２プリアンブルは、送信用の前記第１種別のデータストリームから前記第１データストリーム及び前記第２データストリームをユニークに識別し、
前記第１プリアンブルと前記第２プリアンブルは区別可能であり、
前記第１プリアンブルを前記第１データストリームの前に挿入し、前記第２プリアンブルを前記第２データストリームの前に挿入するステップを備え、
前記第１データストリームと前記第２データストリームをマージするステップを備え、前記第１データストリームと前記第２データストリームをマージすることは、前記第１データストリームの未使用の領域に前記第２データストリームを挿入することを含み、
前記単一の相互接続の第１通信チャネルを介して、前記第１種別のデータを識別する要素と、前記第１プリアンブルが先行する第１データストリームと、前記第２プリアンブルが先行する前記第２データストリームとを送信するステップを備え、前記第１データストリームは送信のために暗号化され、前記第１プリアンブル及び前記第２プリアンブルは暗号化されないコンピュータ可読媒体。
【請求項３３】
命令列を表すデータを記憶したコンピュータ可読媒体であって、前記命令列がプロセッサによって実行されるとそのプロセッサは動作を行い、その動作は、
単一の相互接続の第１通信チャネルを介して受信機で複数のデータストリームを受信するステップを備え、
複数の前記データストリームは、第１データストリームの未使用の領域に第２データストリームを挿入することによってマージされた前記第１データストリーム及び前記第２データストリームを含み、
複数の前記データストリームは、第１種別のデータを識別する指定を含み、
前記第１種別の複数のデータストリームの各々は所定数のクロック期間を有したプリアンブルによって先行され、
前記プリアンブルは、前記第１種別の異なるデータストリームの各々を識別するためのもの、かつ各前記データストリームを複数の前記データストリームの中の他のデータストリームと区別するためのものであり、
前記第１種別のデータストリームの各々に対するプリアンブルは、前記第１種別の複数のデータストリームの間においてユニークであり、
前記第１データストリームは第１プリアンブルを有し、
前記第２データストリームは第２プリアンブルを有し、
前記第１プリアンブルと前記第２プリアンブルは、送信機のマルチプレクサに対する複数のプリアンブルの入力から選ばれるか、又は前記送信機のルックアップテーブルにおける複数のプリアンブルから選ばれ、
前記第１データストリームは暗号化され、複数の前記データストリームの前記プリアンブルは暗号化されず、
前記第１種別のデータストリームに対する複数のプリアンブルの受信を検出することにより、前記第１種別の複数のデータストリームの存在を判定するステップを備え、
前記データストリームに対するプリアンブルに応じて前記第１種別のデータストリームの各々を取扱うステップを備え、前記第１プリアンブルに基づいて前記第１データストリームを取扱うことは、前記第１データストリームを復号することを含むコンピュータ可読媒体。